(57)【要約】  部分的に伸度を変化させているにもかかわらず、伸度の異なる部分間における切替ラインが目立たない編地および衣類を提供する。  第１の編地領域１０１と第２の編地領域１０２Ａとを有する編地であって、第１の編地領域１０１と第２の編地領域１０２Ａとは、異なる伸度であり、さらに、緩衝領域１０Ａ、１０Ｂを有しており、緩衝領域は、第１の編地領域１０１および第２の編地領域１０２Ａの少なくとも一方に、第１の編地領域１０１および第２の編地領域１０２Ａに接して設けられ、緩衝領域１０Ａ、１０Ｂの伸度は、第１の編地領域１０１および第２の編地領域１０２Ａのいずれか一方に近づくにしたがって、近づく側に位置する第１の編地領域１０１または第２の編地領域１０２Ａとの伸度の差が小さくなるように設定されており、第１の編地領域１０１と第２の編地領域１０２Ａとは、編地のコース方向Ｌ１と略平行である境界線を有していないことを特徴とする。
2012131873.tif 000002
【特許請求の範囲】
【請求項１】
第１の編地領域と第２の編地領域とを有する編地であって、
前記第１の編地領域と前記第２の編地領域とは、異なる伸度であり、
さらに、緩衝領域を有しており、
前記緩衝領域は、前記第１の編地領域および前記第２の編地領域の少なくとも一方に、前記第１の編地領域および前記第２の編地領域に接して設けられ、
前記緩衝領域の伸度は、前記第１の編地領域および前記第２の編地領域のいずれか一方に近づくにしたがって、近づく側に位置する前記第１の編地領域または前記第２の編地領域との伸度の差が小さくなるように設定されており、
前記第１の編地領域と前記第２の編地領域とは、編地のコース方向と略平行である境界線を有していない
ことを特徴とする編地。
【請求項２】
前記編地のコース方向と略平行である境界線が、前記編地のコース方向と±０〜１５°の範囲の角度をなしている境界線であることを特徴とする、請求の範囲１記載の編地。
【請求項３】
前記編地のコース方向と略平行である境界線が、前記編地のコース方向と±０〜１０°の範囲の角度をなしている境界線であることを特徴とする、請求の範囲１記載の編地。
【請求項４】
前記緩衝領域が、前記第１の編地領域および前記第２の編地領域の双方に跨って設けられていることを特徴とする、請求の範囲１から３のいずれか一項に記載の編地。
【請求項５】
前記緩衝領域が、連続して複数形成されていることを特徴とする、請求の範囲１から４のいずれか一項に記載の編地。
【請求項６】
前記緩衝領域が、前記第１の編地領域側と前記第２の編地領域側とに交互に形成されていることを特徴とする、請求の範囲１から５のいずれか一項に記載の編地。
【請求項７】
前記緩衝領域が、階段状に設けられていることを特徴とする、請求の範囲１から６のいずれか一項に記載の編地。
【請求項８】
前記緩衝領域の周形状が、前記コース方向に対して非平行であることを特徴とする、請求の範囲１から７のいずれか一項に記載の編地。
【請求項９】
前記緩衝領域の周形状が、湾曲形状であることを特徴とする、請求の範囲８記載の編地。
【請求項１０】
前記第１の編地領域、前記第２の編地領域および前記緩衝領域が、同種類の編組織によって形成されていることを特徴とする、請求の範囲１から９のいずれか一項に記載の編地。
【請求項１１】
請求の範囲１から１０のいずれか一項に記載の編地を、一部に含むことを特徴とする編地。
【請求項１２】
請求の範囲１から１１のいずれか一項に記載の編地を含むことを特徴とする衣類。
【発明の詳細な説明】
【技術分野】
【０００１】
本発明は、編地およびそれを用いた衣類に関する。
【背景技術】
【０００２】
編地においては、その用途に応じて、伸度の異なる部分を連続して形成したものがある。近年、着用することでバストやウエスト、ヒップ回り等の造形性を高めてスタイルを美しくしたり、姿勢を整えたりする衣類（補整衣類）が提案されている。これらの衣類は、部分的に伸度が強くなるように設計し、製造される。部分的に伸度を変える方法としては、例えば、伸度を強くしたい部分において、緊縛力が強い帯状片を身頃の上に積層固定する、または、身頃と同じ生地で緊縛力を異ならせることが検討されている（例えば、特許文献１参照）。これらの衣類では、同じ生地であっても、緊縛力を変えるために編組織を変えるなどの手段を用いる場合が多いため、伸度の異なる部分の境界（切替ライン）が段差となりやすく、また、外観上目立つものとなっていた。また、前記伸度の異なる部分の境界線部分では、伸度の高い側の編地が伸度の低い側の編地に引っ張られやすく、伸度の高い側の編地が部分的に破損してしまうことがあり、耐久性の点で十分ではないという問題がある。このため、従来においては、前記境界線部分に沿うように、緩衝領域が形成されることもある。しかし、境界線部分に沿うように緩衝領域を形成した場合でも、伸度の低い側の編地に伸度の高い側の編地が引っ張られて、境界線に沿って編地に段差（かぶり）が形成されてしまっていた。
【先行技術文献】
【特許文献】
【０００３】
【特許文献１】特開２００６−３２０６４０号公報
【発明の概要】
【発明が解決しようとする課題】
【０００４】
このような衣類では、編地に伸度切替部分があることが外観上わかるものであった。すなわち、他人から見て、補整衣類を着用していることが即座にわかってしまうため、着用者においては、補整衣類であることをわかり難くしたいというニーズが存在している。一方で、最近では、従来はインナーとして着用されていた種類の衣類が、アウターとしても着用される場合が多くある。そのため、インナーについても「見せる」ことができるようなファッション性が要求されることがある。しかし、前述の伸度の切替ラインが目立つような場合、消費者からはファッション性に劣るという印象を持たれがちであった。【０００５】
本発明は、上記切替ラインに沿って形成される段差を低減することができる編地、および、これを用いた衣類を提供することを目的とする。
【課題を解決するための手段】
【０００６】
前記目的を達成するために、本発明の編地は、第１の編地領域と第２の編地領域とを有する編地であって、
前記第１の編地領域と前記第２の編地領域とは、異なる伸度であり、
さらに、緩衝領域を有しており、
前記緩衝領域は、前記第１の編地領域および前記第２の編地領域の少なくとも一方に、前記第１の編地領域および前記第２の編地領域に接して設けられ、
前記緩衝領域の伸度は、前記第１の編地領域および前記第２の編地領域のいずれか一方に近づくにしたがって、近づく側に位置する前記第１の編地領域または前記第２の編地領域との伸度の差が小さくなるように設定されており、
前記第１の編地領域と前記第２の編地領域とは、編地のコース方向と略平行である境界線を有していないことを特徴とする。【０００７】
この構成によれば、前記第１の編地領域と前記第２の編地領域との境界付近において、コース方向に対する傾きが小さい部分（略平行部分）では、前記緩衝領域が形成される。したがって、前記第１の編地領域と前記第２の編地領域とは、前記略平行部分では隣接せず、前記２編地領域間の境界線が形成されない。このため、編地の境界部分において形成される段差を小さくすることができ、段差を目立ち難くしている。なお、第１の編地、第２の編地、緩衝領域は、同種類の編組織によって形成されていることが好ましい。
【発明の効果】
【０００８】
本発明によれば、部分的に伸度を変化させているにもかかわらず、伸度の異なる部分間における切替ラインが目立たない編地を提供することができる。本発明の編地を適用することで、スタイルを美しくしたり、姿勢を整えたりする等の効果を有しつつ、さらに、ファッション性にも優れた衣類を提供することができる。
【図面の簡単な説明】
【０００９】
【図１】図１は、本発明の編地を用いた衣類の一例である、第１の実施形態に係るキャミソールの斜視図である。
【図２】図２は、本発明における第１の実施形態に係るキャミソールの、伸度の異なる編地の境界ＢＬ１周辺の緩衝領域の構成の一例を示す模式図である。
【図３】図３は、図２における緩衝領域１０Ｂ周辺の緩衝領域の構成を示す模式図である。
【図４】図４（Ａ）、（Ｂ）および（Ｃ）は、実施形態１における緩衝領域の構成の変形例Ａ１、Ａ２およびＡ３を示す模式図である。
【図５】図５（Ａ）および（Ｂ）は、実施形態１における緩衝領域の構成の他の変形例Ｂを示す模式図である。
【図６】図６（Ａ）、（Ｂ）および（Ｃ）は、実施形態２の編地における第１の編地と第２の編地との間の境界部分周辺の構成を示す模式図である。
【図７】図７（Ａ）、（Ｂ）および（Ｃ）は、実施形態３の編地における緩衝領域の構成を示す模式図である。
【図８】図８は、実施形態４の編地における緩衝領域の構成を示す模式図である。
【図９】図９（Ａ）および（Ｂ）は、実施形態５の編地における緩衝領域の構成を示す模式図である。
【図１０】図１０は、実施形態６の編地における緩衝領域の構成を示す模式図である。
【発明を実施するための形態】
【００１０】
近年、編地の伸びを部分的に変更することによって着用者の体を締め付ける、いわゆる緊締力を作用させて、所望の補整機能を発揮する体型補整機能を有する衣類が提案されている。このような体型補整機能を実現する１つの方法として、部分的に編地が伸び難くなるようにすることで行っていた。しかし、部分的に編地が伸び難くなるように伸度を低くした場合には、伸度の低い部分と低くない部分との境界において、伸度の高い側の編組織が伸度の低い側の編組織に引っ張られて段差が形成されてしまうという問題があった。
【００１１】
そこで、発明者らは、上記段差を軽減する方法について検討を重ね、上記境界のうち、編地のコース方向に対する傾きが小さい部分（略平行となる部分）の方が、傾きの大きい部分よりも大きな段差が形成され易いことを発見し、この点に着目した。そして、コース方向に対する傾きが小さい部分周辺に緩衝領域を設けることにより、段差の形成が抑制されて編地のかぶりが低減されるとの知見を得た。この結果、編地における伸度の切替ラインでの境界が目立ち難くなり、補整機能を備えた衣類の場合であっても、外観上、露呈し難くすることができるとの知見を得るに至った。
【００１２】
なお、本発明において、「略平行である境界線」とは、前記境界線の前記コース方向に対してなす角度が、±０〜１５°の範囲である境界線であることが好ましく、より好ましくは±０〜１０°の範囲である。
【００１３】
以下、本発明の編地について、例をあげて説明する。ただし、本発明は、以下の例に限定および制限されない。
【００１４】
（第１の実施形態）
図１に、本発明の編地を用いた衣類の実施形態の一例を示す。図１は、体型補整効果のあるキャミソール１００である。本実施形態のキャミソール１００は、同一の編組織の伸度を高、中、低の３段階に調整することによって、所定の体型補整効果が得られるように形成されている。なお、図中のＬ１の矢印は編地のコース方向を、Ｌ２の矢印は編地のウェール方向を表わす。
【００１５】
同図において、伸度低の部分が補整領域（第１の編地領域）１０１、伸度中の部分が補整領域（第２の編地領域）１０２Ａおよび１０２Ｂである。補整領域１０１は、伸度が最も低くなるように設定されており、アンダーバスト部分を覆うように胴回りに設けられている。これにより、アンダーバスト部分が締め付けられるため、バストアップ効果を得ることができる。
【００１６】
補整領域１０２Ａおよび１０２Ｂは、伸度が中位になるように設定されており、補整領域１０１の上下にそれぞれ設けられている。補整領域１０２Ａは、バスト下部を覆うように設けられている。このため、バストアップ効果を高めることができる。補整領域１０２Ｂは、腹部を覆うように形成されている。これにより、腹部周りを締め付けて腹部の出っ張りを目立ち難くすることができる。
【００１７】
ここで、符号ＢＬ１は、補整領域１０１と補整領域１０２Ａとの間の境界線を示している。符号Ｐ、Ｑ、Ｒは、境界ＢＬ１上における前中心点、アンダーバストの最下点、アンダーバストと前中心との間の点をそれぞれ示している。
【００１８】
図２は、境界ＢＬ１周辺の緩衝領域の構成を模式的に示す図である。なお、図２では、アンダーバストと前中心との間の点Ｒ周辺の緩衝領域の構成については図示を省略している。図２に示すように、境界ＢＬ１は左右のバストの下部の湾曲に沿うようにＷ字状に湾曲している。ここで、境界ＢＬ１は、前中心点Ｐ周辺の湾曲部の曲率よりもアンダーバストの最下点Ｑ周辺の湾曲部の曲率の方が大きくなるように形成されている。緩衝領域１０Ａは、境界ＢＬ１が補整領域１０２Ａ側に突き出すように湾曲している前中心部分において、コース方向Ｌ１に対する傾きが小さくなる部分（底部）に弧状に形成されている。緩衝領域１０Ｂは、境界ＢＬ１が補整領域１０１側に突き出すように湾曲している部分において、境界ＢＬ１のコース方向Ｌ１に対する傾きが小さくなる部分（底部）に弧状に形成されている。なお、本実施形態では、緩衝領域１０Ａ、１０Ｂを設ける例を挙げているが、例えば、デザイン上の要請から緩衝領域１０Ｂだけ設けて、緩衝領域１０Ａは設けないものとしても良い。このように、編地１００において、段差が形成され易い部分の一部にだけ本発明の緩衝領域を設けるといったことも考えられる。
【００１９】
図３は、アンダーバストと前中心との間の前記点Ｒ周辺の領域Ｒ’と、アンダーバストの前記最下点Ｑ周辺の領域Ｑ’における緩衝領域の構成を示す模式図である。緩衝領域１０Ｂは、境界ＢＬ１が補整領域１０１側に突き出すように湾曲している部分において、境界ＢＬ１のコース方向Ｌ１に対する傾きが小さくなる部分（底部）に弧状に形成されている。緩衝領域１０Ｃは、アンダーバストと前中心との間の点Ｒ周辺の、境界ＢＬ１のコース方向Ｌ１に対する傾きが比較的小さい領域に設けられている。このように、なだらかな傾斜が続く部分においても、段差が生じることがあるので、緩衝領域１０Ｃを設けることにより、大きな段差が形成されないようにしている。なお、同図に示すように、緩衝領域１０Ｃは、補整領域１０１と補整領域１０２Ａの双方に跨って設けられていてもよい。このように、境界ＢＬ１に跨るように緩衝領域を設けることで、コース方向に対して境界部分が平行に形成されないようにしている。これにより、境界部分の段差を、より目立たないようにすることができる。本実施形態では、緩衝領域１０Ｂが弧状に形成される例を挙げて説明したが、本発明は、これに限定されるものではない。
【００２０】
前記緩衝領域は、その伸度が、前記第１の編地領域との境界部分および前記第２の編地領域のいずれか一方に近づくにしたがって、近づく側に位置する前記第１の編地領域または前記第２の編地領域との伸度の差が小さくなるように設定されている。前記緩衝領域の伸度は、前記第１の編地領域の伸度と前記第２の編地領域の伸度との、間の値の単一の伸度としてもよい。前記緩衝領域は、具体的には、例えば、補整領域１０１の度目から補整領域１０２Ａの度目に徐々に変化させるように、度目調整を行うことによって形成することができる。緩衝領域１０Ａは、ウェール方向Ｌ２において、境界（切替ライン）ＢＬ１から伸度が低い補整領域１０１側に向かう方向に形成されている。緩衝領域１０Ａでは、切替ラインＢＬ１に向かい、伸度が徐々に高くなるように度目が調整されている。緩衝領域１０Ｂは、ウェール方向Ｌ２において、境界（切替ライン）ＢＬ１から伸度が高い補整領域１０２Ａ側に向かう方向に形成されている。緩衝領域１０Ｂでは、切替ラインＢＬ１から、伸度が徐々に高くなるように度目が調整されている。各緩衝領域のコース方向Ｌ１は、度目が同じ大きさになるように編組織を編成するとよい。このように、伸度の異なる編地間の、伸度の差分を均すように伸度を段階的に切り替えた緩衝領域を設けることによって、伸度の切替ラインを目立ちにくくすることができる。本実施形態のキャミソールは、例えば、丸編機等を用いて緯編で容易に編み立てることができるが、これに限定されず、ラッセル編、ダブルラッセル編等の経編でも製造することができる。
【００２１】
本実施形態において、補整領域（第１の編地領域）１０１と補整領域（第２の編地領域）１０２Ａとは、編地のコース方向と略平行である境界線を有していない。補整領域１０１と補整領域１０２Ａとが、直接接している境界線は、図２における点Ｒ付近のように、編地のコース方向とは略平行ではない部分のみである。その他の部分（略平行部分）では、補整領域１０１と補整領域１０２Ａとの間に、緩衝領域１０Ａおよび１０Ｂが設けられることで、境界部分における段差を目立たないようにすることができる。
【００２２】
本実施形態のキャミソール１００は、バスト部分の伸度が高く編成されているため、着用時にバストをつぶすことがなく、バストの造形性を良好に保つことができる。また、アンダーバスト部分では伸度を低くしているため、バージスラインが曖昧になることを防止できる。そして、ウエストライン付近では、中程度の伸度とすることで、締め付けすぎずに良好なスタイルを維持することができる。また、切替ラインに緩衝領域を設けることにより、外観上は段差を目立ちにくくできるとともに、着用時に押さえる力も段階的に強弱をつけることができるため、部分的な締め付けに起因する切替部の跡が肌に残るといった問題も解消する。なお、本例では伸度を３段階としているが、２段階であってもよいし、さらに多段階としてもよい。このように、本実施形態によると、スタイルの矯正効果を有しつつ、外観上は、多段階の伸度の変化があることがわかり難い衣類を得ることができる。したがって、矯正下着の着用に外観上の抵抗感はあるものの、矯正下着の効果の付与された衣類は着てみたいと考えている消費者も、本実施形態のキャミソールであれば、抵抗なく着用することができる。なお、本実施形態において、前記本発明の編地は、全体に使用してもよいし、部分的に使用してもよい。例えば、段差を目立ち難くしたい部分の編地については前記本発明の編地によって形成しつつ、デザイン上のアクセントとして段差を残しておきたい部分の編地については前記本発明の編地によって形成しないといったことが考えられる。
【００２３】
（変形例Ａ１）
図４（Ａ）に、実施形態１の変形例Ａ１を示す。実施形態１において、境界ＢＬ１は、前中心周辺で上方に湾曲しているが、例えば、図４（Ａ）に示すように、前中心周辺で上方に湾曲しない形状の境界ＢＬ１’とすることもできる。この場合、緩衝領域１０Ｄとしては、台形に近似した形状とすることもできる。なお、符号Ｑ１、Ｑ２は、境界ＢＬ１上における左右のバストそれぞれのアンダーバストの最下点の位置を示している。
【００２４】
なお、符号Ｔ１は、緩衝領域１０Ｄの上辺を示しているが、緩衝領域１０Ｄの上辺は、破線で示す上辺Ｔ２のように緩やかに補整領域１０２Ａ側に湾曲するように、編地のコース方向Ｌ１に対して非平行となるようにしても良い。このように湾曲させることにより、上辺Ｔ１よりもコース方向Ｌ１に対して平行になる部分を減らすことができるため、上辺Ｔ２と補整領域１０２Ａとの間の段差をさらに低減することもできる。さらに、図中の上辺Ｔ３のように、上辺を補整領域１０１側に湾曲させてもよい。また、緩衝領域の上辺を湾曲させる代わりに下辺Ｔ４を補整領域１０２Ａ側、または、１０１側へ湾曲させることもことによっても同様の効果を得ることができる。
【００２５】
このように、緩衝領域の幅の長さ（コース方向の長さ）を長く設定する場合には、上辺Ｔ１または下辺Ｔ４を湾曲させることにより、上辺Ｔ１、下辺Ｔ４周辺における段差を低減することができる。
【００２６】
（変形例Ａ２）
図４（Ｂ）に、実施形態１の変形例Ａ２を示す。変形例Ａ２では、底辺部分に四角形状の緩衝領域１０Ｅを設け、その両端側に境界ＢＬ１を設ける代わりに、緩衝領域１０Ｆをそれぞれ設けている。この場合にも、上記実施形態と同様の効果を得ることができる。
【００２７】
（変形例Ａ３）
図４（Ｃ）に、実施形態１の変形例Ａ３を示す。変形例Ａ３では、変形例Ａ２で示した緩衝領域１０Ｅの下辺の一部を下側に湾曲させて緩衝領域１０Ｇを形成する例を示している。その他の構成は、変形例Ａ２と同様である。
【００２８】
（変形例Ｂ）
図５に、実施形態１の他の変形例を示す。実施形態１において、境界ＢＬ１は湾曲した波形状であるが、図５（Ａ）に示すように台形状に形成したり、図５（Ｂ）に示すように矩形状に形成することもできる。この場合、緩衝領域１０Ａおよび１０Ｂは、境界ＢＬ１の形状や仕様に応じて、好適な形状とすることができる。
【００２９】
（実施形態２）
図６に、本発明の編地における第１の編地領域と第２の編地領域との間の境界部分周辺の構成の一例の模式図を示す。図６は、互いに伸度が異なっている第１の編地領域２１０と第２の編地領域２２０との境界ＢＬ２（切替ライン、図中の二点鎖線）が、コース方向と平行である編地２００を示す。同図においては、切替ラインＢＬ２の上側の第１の編地領域２１０の伸度が高く（度目：大）、切替ラインＢＬ２の下側の第２の編地領域２２０の伸度が低い（度目：小）編地を表わしている。図６（Ａ）においては、切替ラインＢＬ２において、緩衝領域が、連続して複数形成されている。編地２００のウェール方向に波形状に湾曲するように第２の編地領域２２０側に突出する緩衝領域２０Ａおよび第１の編地領域２１０側に突出する緩衝領域２０Ｂが互い違いに交互に形成されている。本実施形態においては、第１の編地領域２１０側および第２の編地領域２２０側に、複数の緩衝領域を交互に設けることで、コース方向に対して境界部分が平行に形成されないようにしている。これにより、境界部分の段差を、より目立たないようにすることができる。
【００３０】
緩衝領域２０Ａおよび緩衝領域２０Ｂは、第１の編地領域２１０との境界部分および第２の編地領域２２０との境界部分に近づくにしたがって、第１の編地領域２１０および第２の編地領域２２０との伸度の差が小さくなるよう、例えば、度目に徐々に変化させる度目調整を行うことによって形成する。緩衝領域２０Ａは、ウェール方向Ｌ２において、切替ラインＢＬ２から伸度が低い第２の編地領域２２０側に向かう方向に形成されている。緩衝領域２０Ａでは、切替ラインＢＬ２に向かい、伸度が徐々に高くなるように度目が調整されている。緩衝領域２０Ｂは、ウェールＬ２方向において、切替ラインＢＬ２から伸度が高い第１の編地領域２１０側に向かう方向に形成されている。緩衝領域２０Ｂでは、切替ラインＢＬ２から、伸度が徐々に高くなるように度目が調整されている。各緩衝領域のコース方向は、例えば、度目が同じ大きさになるように編組織が編成されている。このように緩衝領域を設けることによって、伸度の切替ラインを目立ちにくくすることができる。
【００３１】
前記緩衝領域の形状は、図６（Ａ）に例示したような波形状であってもよいし、例えば、図６（Ｂ）に示すような台形状、図６（Ｃ）に示すような矩形状であってもよい。緩衝領域の形状は鋭角状（例えば、三角形状）にならないように形成することが、切替ラインを目立たせないという観点からは好ましい。波形状、台形状および矩形状の緩衝領域を併用することもできる。また、前記緩衝領域は前記のように交互に形成しなくてもよく、例えば、緩衝領域２０Ａのみまたは緩衝領域２０Ｂのみであってもよい。切替ラインの長さによっては、緩衝領域を単独で設けてもよい。緩衝領域の形状や大きさを組合わせることで、複雑な切替ラインを有する編地においても、本発明の前記効果を得ることができる。
【００３２】
前記緩衝領域においては、３〜１６段階程度で度目を調整して伸度を変化させことが好ましい。本実施形態の前記緩衝領域において、例えば、１段階を０．０５ｍｍとして１０段階程度の細かい度目調整を行って、低伸度から高伸度に切り替えると、切替ラインが外観上目立たず好ましい。前記緩衝領域が台形状または矩形状の場合、台形の上底および矩形の幅は、ウェール数が３０〜５０程度あればよく、例えば、４０ウェールとすることができる。
【００３３】
（実施形態３）
図７は、本実施形態の編地における緩衝領域の構成を説明する図である。ここでは、図２に示す緩衝領域１０Ｂについての変形例として説明するが、以下の変形例は緩衝領域１０Ｂの変形に限られるものではなく、他の緩衝領域においても適用可能である。
【００３４】
湾曲の曲率が大きい境界ＢＬ３を有している場合、図７（Ａ）に示すような台形状の緩衝領域３０Ａを、第１の編地領域３１０側に形成する。このように、湾曲部の底辺近傍の一部を含むように緩衝領域を形成してもよい。
【００３５】
また、台形状の緩衝領域３０Ａを第１の編地領域３１０側と第２の編地領域３２０側に、互い違いに設けることによっても同様に境界線上の編地のかぶりを低減することができる。なお、図７（Ｂ）では、第１の編地領域３１０側と第２の編地領域３２０側とにそれぞれ1つずつ緩衝領域３０Ａを形成する例を挙げているが、例えば、図７（Ｃ）に示すように、第１の編地領域３１０側に１つ、第２の編地領域３２０側に２つ、緩衝領域３０Ａを設けるようにしてもよい。
【００３６】
（実施形態４）
図８は、本実施形態の緩衝領域の構成を説明する図である。ここでは、図３に示す緩衝領域１０Ｃについての変形例として説明するが、以下の変形例は緩衝領域１０Ｃの変形に限られるものではなく、他の緩衝領域においても適用可能である。
【００３７】
図８に示すように境界ＢＬ４が直線状に傾斜する距離が長い場合には、緩衝領域においてコース方向に略平行に形成される部分の距離が長くなることで、緩衝領域の略平行となる部分での伸度の切替部分が見えやすくなる場合がある。このような場合、緩衝領域を多段階で階段状に形成するようにしても良い。第１の編地領域と第２の編地領域との境界部分が、コース方向に傾斜する部分に対しては、階段状の緩衝領域４０Ｃを形成することで段差を低減することができる。図８に示す緩衝領域は、例えば、図１に示すキャミソール１００の前身頃において、符号Ｑから符号Ｒの周辺領域に好適に適用することができる。符号Ｑ周辺の領域Ｑ’には、緩衝領域１０Ｂが設けられ、符号Ｒ周辺の領域Ｒ’には、緩衝領域４０Ｃを設けることができる。なだらかな傾斜が長く続く箇所においては、段差が生じることがあるので、このような階段状の緩衝領域４０Ｃを設けることが、段差低減の点で好ましい。
【００３８】
（実施形態５）
図９は、本実施形態の緩衝領域の構成を説明する図である。境界が湾曲してＵ字状に形成されているのではなく、図９（Ａ）に示すように、境界ＢＬ５がコース方向に対する傾きを連続的に変化させるように形成されている場合には、他の部分よりもコース方向に対する傾きが小さい部分に本発明の緩衝領域を配置することが効果的である。図９（Ｂ）に示すように、このような部分には、階段状の緩衝領域５０Ｃを設けることが好ましい。
【００３９】
（実施形態６）
図１０は、本実施形態の緩衝領域の構成を説明する図であり、編地４００は、キャミソール等を編成するための編地の一部を示すものである。編地４００は、補整領域（第１の編地領域）４１０、補整領域（第２の編地領域）４２０、残反領域４３０、４４０から編成されている。補整領域４１０は、バスト下部から下側の前身頃本体を覆う部分である。補整領域４２０は、バスト下部から首周りに至る領域を覆う部分である。編地４００は、左右の残反領域４４０を裁断することによってアームホールが形成される。中央の残反領域４３０を裁断することによって、頭部を挿通するための開口が形成される。ここで、補整領域４１０は、他の３つの領域、残反領域４３０、補整領域４２０、残反領域４４０よりも伸度が低くなるように形成されている。残反領域４３０は、補整領域４１０よりも伸度が低くなるように形成されている。補整領域４２０は、残反領域４３０よりも伸度が低くなるように形成されており、残反領域４４０は、補整領域４２０と同程度の伸度に設定されている。緩衝領域４５０及び緩衝領域Ｓは、補整領域４２０と補整領域４１０との間と、残反領域４４０と補整領域４１０との間にそれぞれ形成されている。これにより、伸度差の大きい境界部分における段差を低減している。同図において、符号Ｑ１およびＱ２は、左右のバストのそれぞれのバージスラインの最下点の位置を示している。
【００４０】
本実施形態では、前中心側のアンダーバスト領域付近では、図４（Ｂ）に示した緩衝領域と類似の構成となっている。また、編地領域の境界線がコース方向に対して略平行ではない部分では、緩衝領域を設けずに、編地領域同士が接して設けられている。なお、緩衝領域Ｓのように、外観上の境界線は傾斜しているが、傾斜している部分も、曲線ではなく、階段状に編成することで曲線に見せる場合がある。その階段の部分で、平行になる部分が生じるとき、その部分について緩衝領域を設けることで、段差を目立ちにくくすることができる。なお、前記アンダーバスト領域付近のみに緩衝領域を設けると、この領域付近では編地の段差（かぶり）は抑えられるが、その近接する領域で、段差が目立ちやすくなる場合がある。このような場合に、領域Ｓにおける緩衝領域のように、他の緩衝領域から離れて階段状の緩衝領域を設けることが有効である。
【００４１】
また、図１０における左右両端側の部分は、脇から背中側にかけての部分を示す。脇から背中側にかけての部分は、編地の境界線の傾斜にあわせて、緩衝領域が階段状に設けられている。このように編地を構成することによって、例えば図１に示したキャミソール１００を得ることができる。
【００４２】
以上、実施の形態の具体例として、キャミソールおよびキャミソールを構成する編地をあげて本発明を説明したが、本発明の編地を用いた衣類は、これらの具体例で記載されたもののみに限定されるものではなく、種々の態様が可能である。例えば、上記の実施形態のようなキャミソール以外のボディスーツ、ガードル等のファンデーション衣類にも適用することができる。また、ブラキャミソール、セパレートタイプの水着のトップ部、レオタード、その他のボトム衣類、その他各種の衣類に適用できる。
【産業上の利用可能性】
【００４３】
本発明の編地を用いた衣類は、種々の態様が可能である。例えば、上記の実施形態のようなファンデーション衣類以外にも、スポーツ衣類、アウターなど、各種の衣類に適用できる。また、本発明の編地は、衣類に限られず、伸度を変化させることが求められる用途全般に適用することが可能である。
【符号の説明】
【００４４】
１００  キャミソール（衣類）
１０１、４１０  補整領域（第１の編地領域）
１０２Ａ、１０２Ｂ、４２０  補整領域（第２の編地領域）
２００、４００  編地
２１０、３１０  第１の編地領域
２２０、３２０  第２の編地領域
４３０、４４０  残反領域
１０Ａ、１０Ｂ、１０Ｃ、１０Ｄ、１０Ｅ、１０Ｆ、１０Ｇ、２０Ａ、２０Ｂ、３０Ａ、４０Ｃ、５０Ｃ、４５０、Ｓ  緩衝領域
Ｌ１  コース方向
Ｌ２  ウェール方向
【図２】
2012131873.tif 000003
【図３】
2012131873.tif 000004
【図４】
2012131873.tif 000005
【図５】
2012131873.tif 000006
【図６】
2012131873.tif 000007
【図７】
2012131873.tif 000008
【図８】
2012131873.tif 000009
【図９】
2012131873.tif 000010
【図１０】
2012131873.tif 000011
【図１】
2012131873.tif 000012
【国際調査報告】
2012131873.tif 000013
2012131873.tif 000014
2012131873.tif 000015
2012131873.tif 000016